【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
測定体積内の粒子への照射のために、測定体積へ向けられた電磁放射の測定ビーム放射用の全半導体レーザアセンブリと、
参照ビーム生成のための参照ビーム生成器と、
参照ビームと、測定ビームを照射した測定体積内の粒子から放射された光との混合による検出信号生成のための検出器と、
検出信号に基づいて前記粒子の速度に相当する速度信号を生成させる信号処理部と、を備えるコヒーレントライダーシステム。
【請求項２】
前記信号処理部は、さらに風速決定のために構成されている請求項１記載のコヒーレントライダーシステム。
【請求項３】
前記信号処理部は、さらに測定体積内の乱流決定のために構成されている請求項１又は２記載のコヒーレントライダーシステム。
【請求項４】
前記信号処理部は、さらに測定体積内の温度決定のために構成されている請求項１ないし３のいずれか１つに記載のコヒーレントライダーシステム。
【請求項５】
前記信号処理部は、検出信号に基づく測定体積内の粒子濃度に相当する濃度信号を生成するように構成されている請求項１ないし４のいずれか１つに記載のコヒーレントライダーシステム。
【請求項６】
前記信号処理部は、測定体積内の粒子濃度の決定のために構成されている請求項１ないし５のいずれか１つに記載のコヒーレントライダーシステム。
【請求項７】
全半導体レーザアセンブリとライダーシステムの光出力間の測定ビームの導波のための光ファイバをさらに備える請求項１ないし６のいずれか１つに記載のコヒーレントライダーシステム。
【請求項８】
前記全半導体レーザアセンブリは、テーパ型半導体レーザを備える請求項１ないし７のいずれか１つに記載のコヒーレントライダーシステム。
【請求項９】
全半導体レーザアセンブリは、半導体レーザを備え、半導体レーザによって放射されたビーム増幅のための半導体テーパ型電力増幅器をさらに備える請求項１ないし８のいずれか１つに記載のコヒーレントライダーシステム。
【請求項１０】
前記半導体レーザは、ＭＯＰＡ型半導体レーザである請求項9記載のコヒーレントライダーシステム。
【請求項１１】
前記ＭＯＰＡ型半導体レーザは、分布型フィードバック主発振器と半導体テーパ型電力増幅器を備える半導体チップから構成される請求項１０記載のコヒーレントライダーシステム。
【請求項１２】
前記参照ビーム生成器は、全半導体レーザアセンブリによって放射されたビームを、参照ビームと測定体積に向けられる測定ビームに分割するためのビームスプリッタである請求項１ないし１１のいずれか１つに記載のコヒーレントライダーシステム。
【請求項１３】
前記参照ビーム生成器は、参照ビームと測定ビームを放射するために構成された全半導体レーザアセンブリである請求項１ないし１１のいずれか１つに記載のコヒーレントライダーシステム。
【請求項１４】
参照ビームの非ガウシアン型空間成分を減らすための空間フィルタをさらに備える請求項１ないし１３のいずれか１つに記載のコヒーレントライダーシステム。
【請求項１５】
参照ビームの伝播経路に位置するフーリエレンズをさらに備え、空間フィルタが参照ビームの非ガウシアン空間成分の減少のためフーリエレンズのフーリエ面内に位置している請求項１４記載のコヒーレントライダーシステム。
【請求項１６】
前記空間フィルタは、検出器のサイズに適合したサイズの開口部を備える請求項１４又は１５記載のコヒーレントライダーシステム。
【請求項１７】
参照ビームと対象から放射された光とを結合させるビーム結合器をさらに備える請求項１ないし１６のいずれか１つに記載のコヒーレントライダーシステム。
【請求項１８】
前記測定ビームは、ｐ偏光であり、前記ビームスプリッタと前記ビーム結合器とが、
全半導体レーザアセンブリからのｐ偏光の光を透過し、ｓ偏光の光を反射するようコーティングされたブリュースター窓と、測定ビーム生成のためｐ偏光を円偏光に変換し、ブリュースター窓による反射のため粒子からの円偏光をs偏光に変換する１／４波長複屈折光学板とを備える一つの素子であって、
前記ビームスプリッタが測定ビームの一部を反射して参照光を生成し、１／４波長板を介して参照ビームを戻して検出器へ反射する反射器を備える請求項１７記載のコヒーレントライダーシステム。
【請求項１９】
前記全半導体レーザアセンブリは、全半導体レーザアセンブリ出力の最適化のため検出器からの信号に応答して動作する請求項１ないし１８のいずれか１つに記載のコヒーレントライダーシステム。
【請求項２０】
前記半導体レーザは、測定ビームを整形する単一モード光ファイバを有するビーム整形装置を備える請求項１ないし１９のいずれか１つに記載のコヒーレントライダーシステム。
【請求項２１】
前記ビーム整形装置は、集光レンズ、ピンホール、コリメータレンズを備える請求項２０に記載のコヒーレントライダーシステム。
【請求項２２】
測定ビーム又は参照ビームの周波数シフトのための周波数シフト素子を備える請求項１ないし２１のいずれか１つに記載のコヒーレントライダーシステム。
【請求項２３】
請求項１ないし２２のいずれか１つに記載のコヒーレントライダーシステムを備える風力タービン。
【請求項２４】
請求項１ないし２２のいずれか1つに記載のコヒーレントライダーシステムを備える帆船。
【請求項２５】
測定体積内の粒子への照射のために、測定体積へ向けられた電磁放射の測定ビームを放射し、
参照ビームを生成し、
参照ビームと、測定ビームを照射した測定体積内の粒子から放射された光とを混合し、粒子速度に対応する速度信号を生成する工程を備え、
前記測定ビームを放射する工程は、全半導体レーザアセンブリを準備して測定ビームを放射することを備える粒子によって散乱された光に基づく速度決定法。
【請求項２６】
前記参照ビームを生成する工程は、全半導体レーザアセンブリによって放射されたビームを、参照ビームと測定体積へ向けられる測定ビームに分割する工程を備える請求項２５に記載の方法。
【請求項２７】
前記参照ビームを生成する工程は、参照ビームと測定ビームとを放射するように構成される全半導体レーザアセンブリを準備する請求項２５記載の方法。
【請求項２８】
測定体積内の温度に相当する温度信号を生成するため、参照ビームと、測定ビームの照射により測定体積内の粒子から放射された光とを混合する工程をさらに備える請求項２５ないし２７のいずれか１つに記載の方法。
【請求項２９】
参照ビームと、測定ビームの照射により測定体積内の粒子から放射された光とを混合し、測定体積内の粒子濃度に相当する濃度信号を生成する工程をさらに備える請求項２５ないし２８のいずれか１つに記載の方法。
【請求項３０】
参照ビームの非ガウシアン空間成分を減らすため、参照ビームを空間的にフィルタする工程をさらに備える請求項２５ないし２９のいずれか１つに記載の方法。
【請求項３１】
測定ビームを整形する単一モード光ファイバを準備することによって、ビーム整形する工程をさらに備える請求項２５ないし２９のいずれか１つに記載の方法。
【請求項３２】
決定された速度信号に応答して風力タービンのタービン翼のピッチを調節する工程をさらに備える請求項２５ないし３１のいずれか１つに記載の方法。
【請求項３３】
決定された速度信号に応答して帆船の帆の位置を調節する工程をさらに備える請求項２５ないし３１のいずれか１つに記載の方法。
【請求項３４】
測定体積内の粒子への照射のために、測定体積へ向けられた電磁放射の測定ビームを放射し、
参照ビームを生成し、
参照ビームと、測定ビームを照射した測定体積内の粒子から放射された光とを混合して粒子濃度に対応する濃度信号を生成する工程を備え、
前記測定ビームを放射する工程は、半導体レーザを準備して測定ビームを放射することを備える、粒子によって散乱された光に基づく粒子濃度決定法。
【請求項３５】
前記参照ビームを生成する工程は、半導体レーザによって放射されたビームを、参照ビームと測定体積へ向けられる測定ビームに分割する工程を備える請求項３４に記載の方法。
【請求項３６】
前記参照ビームを生成する工程は、参照ビームと、測定ビームとを放射するように構成される半導体レーザを準備する請求項３４記載の方法。
【請求項３７】
参照ビームの非ガウシアン空間成分を減らすため、参照ビームを空間的にフィルタする工程をさらに備える請求項３４ないし３６のいずれか１つに記載の方法。
【請求項３８】
測定ビームを整形する単一モード光ファイバを準備することによって、ビーム整形する工程をさらに備える請求項３４ないし３６のいずれか１つに記載の方法。
【請求項３９】
決定された濃度信号に応答して状態信号を放射する工程をさらに備える請求項３２ないし３６のいずれか１つに記載の方法。